(57)【特許請求の範囲】
【請求項１】
洗浄槽の洗浄空間への湯水の供給を断続する湯水断続手段と、
前記洗浄空間の底部から湯水を吸引して外部に排出する排水ポンプと、
前記洗浄空間に貯留される湯水の水位が洗浄用水位であることを検出する水位検出手段と、
前記洗浄空間内の洗浄対象物を洗浄する洗浄処理、前記洗浄対象物をすすぐすすぎ処理、及び、前記洗浄対象物を乾燥する乾燥処理を実行する制御手段とが設けられ、
前記制御手段が、
前記洗浄処理及び前記すすぎ処理において、前記洗浄用水位の湯水を前記洗浄空間内に貯留して洗浄及びすすぎを行うべく、前記水位検出手段の検出情報に基づいて前記湯水断続手段を制御し、かつ、前記洗浄処理及び前記すすぎ処理の後で、前記洗浄空間内に貯留された湯水を排出すべく、前記排水ポンプを作動させる洗浄用排水運転を実行するように構成された食器洗浄機であって、
前記水位検出手段が、前記洗浄空間に貯留される湯水の水位が前記洗浄用水位よりも低い湯水排出水位であることを検出するように構成され、
前記制御手段が、
前記洗浄用排水運転において、前記排水ポンプを設定排水能力にて作動させた状態を、前記水位検出手段にて前記湯水排出水位が検出されてから洗浄排水用の設定時間が経過するまで継続するように構成され、且つ、
前記水位検出手段にて前記洗浄用水位から前記湯水排出水位が検出されるまでの移行時間を計測して、その移行時間が設定基準時間よりも長い排水能力不足状態のときには、前記湯水排出水位が検出された時点以降において、前記設定排水能力を高排水能力側に変更設定するように構成され、
前記制御手段が、前記水位検出手段にて前記洗浄用水位が検出されている状態から前記洗浄用排水運転を実行するごとに、前記移行時間を計測して、前記排水能力不足状態であるごとに、前記設定排水能力を、設定増大量ずつ高排水能力側に変更設定するように構成され、
前記設定増大量が、前記移行時間と前記設定基準時間との差が大きいほど大きな量に定められるものである食器洗浄機。
【請求項２】
前記洗浄空間からの空気吸引口と前記洗浄空間への空気供給口とに亘る通風経路を通して通風手段にて循環される前記洗浄空間の空気を、除湿用の湯水との接触により冷却することにより、空気中の水分を凝縮させて除湿し、かつ、除湿処理後の湯水及び凝縮水を前記洗浄槽内に流動させるように構成された除湿部と、
前記洗浄空間の空気を加熱する加熱手段と、
前記湯水断続手段が、前記除湿部への湯水供給の断続を行うように構成され、
前記洗浄空間の底部に貯留される湯水の水位が前記洗浄用水位よりも低い乾燥用排出水位であることを検出する乾燥用排出水位検出手段が設けられ、
前記制御手段が、
前記乾燥処理において、前記加熱手段にて前記洗浄空間の空気を加熱しながら、前記除湿用の湯水と前記通風経路を通過する空気とを接触させるべく、前記通風手段、前記加熱手段、及び、前記湯水断続手段を制御し、かつ、前記乾燥用排出水位検出手段にて前記乾燥用排出水位が検出されると、その乾燥用排出水位の湯水を排出すべく、前記排水ポンプを乾燥排水用設定時間が経過するまで作動させる乾燥用排水運転を繰り返すように構成され、且つ、
前記乾燥用排水運転において、前記洗浄用排水運転について設定した前記設定排水能力にて前記排水ポンプを作動させるように構成されている請求項１記載の食器洗浄機。
【請求項３】
前記制御手段が、前記洗浄用排水運転を開始する際に、前記水位検出手段が前記洗浄用水位よりも低い水位であることを検出している場合には、前記排水ポンプの作動を停止させた状態で待機して、前記水位検出手段が前記洗浄用水位を検出すると、前記洗浄用排水運転を開始するように構成されている請求項１又は２記載の食器洗浄機。
【請求項４】
前記制御手段が、前記洗浄用排水運転を開始する際に、前記水位検出手段が前記洗浄用水位よりも低い水位であることを検出している場合において、設定待機時間が経過しても前記水位検出手段が前記洗浄用水位を検出しないときには、前記洗浄用排水運転を開始し、かつ、前記移行時間の計測を中止するように構成されている請求項３に記載の食器洗浄機。
【発明の詳細な説明】
【技術分野】
【０００１】
本発明は、洗浄槽の洗浄空間への湯水の供給を断続する湯水断続手段と、前記洗浄空間の底部から湯水を吸引して外部に排出する排水ポンプと、前記洗浄空間に貯留される湯水の水位が洗浄用水位であることを検出する水位検出手段と、前記洗浄空間内の洗浄対象物を洗浄する洗浄処理、前記洗浄対象物をすすぐすすぎ処理、及び、前記洗浄対象物を乾燥する乾燥処理を実行する制御手段とが設けられ、
前記制御手段が、前記洗浄処理及び前記すすぎ処理において、前記洗浄用水位の湯水を前記洗浄空間内に貯留して洗浄及びすすぎを行うべく、前記水位検出手段の検出情報に基づいて前記湯水断続手段を制御し、かつ、前記洗浄処理及び前記すすぎ処理の後で、前記洗浄空間内に貯留された湯水を排出すべく、前記排水ポンプを作動させる洗浄用排水運転を実行するように構成された食器洗浄機に関する。
【背景技術】
【０００２】
かかる食器洗浄機は、皿や茶碗等の食器類を洗浄するのに使用されるものである。
すなわち、食器洗浄機は種々の使用形態にて運転されるものであるが、その標準的な使用形態は、洗浄空間内に洗浄対象物が収納された状態において、洗浄空間内に洗浄用の湯水を供給して、その洗浄用の湯水を洗浄空間内に装備した洗浄用ノズルから洗浄水として噴出する洗浄処理を行い、次に、洗浄用排水運転により、洗浄空間内の湯水を排出したのち、洗浄空間内にすすぎ用の湯水を供給して、そのすすぎ用の湯水を洗浄空間内に装備した洗浄用ノズルから噴出するすすぎ処理を行い、その後、洗浄用排水運転により、洗浄空間内の湯水を排出したのち、乾燥処理を行う形態である。
【０００３】
このような食器洗浄機の従来例として、洗浄用排水運転が、排水ポンプを作動させたのち設定時間が経過すると、排水ポンプの作動を停止する形態にて行われるように構成されたものがある（例えば、特許文献１参照。）。
この特許文献１においては、排水ポンプを作動させる設定時間についての詳しい説明はないが、この設定時間は、例えば、洗浄処理やすすぎ処理のために洗浄空間に貯留されている湯水の全量を排出することができる時間に設定されることになる。
【先行技術文献】
【特許文献】
【０００４】
【特許文献１】特開２００６−２３９２７５号公報
【発明の概要】
【発明が解決しようとする課題】
【０００５】
食器洗浄機の使用時間帯は、夕食後の食器類を洗浄する等のために、夜間になることが多いものであり、静粛化が極力望まれるものであるが、従来の食器洗浄機においては、排水運転を行うときに騒音を発生する虞があり、改善が望まれるものであった。
【０００６】
すなわち、排水ポンプを作動させて湯水を排出するときの排水揚程が、食器洗浄機から延設される外部接続ホースの設置形態の変化等により、変動することになる。
つまり、排水ポンプにて排出される湯水を外部に導くために食器洗浄機から外部接続ホースが延設されることになり、そして、外部接続ホースは、水平方向に沿って延びる状態で配設されて、食器洗浄機が設置される設置箇所の排水管に接続されることが多いが、設置箇所によっては、その排水管が上方に位置するため、外部接続ホースが上方に向けて延びる状態で配設されて、設置箇所の排水管に接続されることがある。ちなみに、外部接続ホースを上方に向けて延びる状態で配設するときの上昇量は、多いときには１メートル程度になる場合がある。
【０００７】
したがって、排水揚程が変動しても、洗浄空間内の湯水を適切に排出できるようにするには、排水ポンプの排水能力を排水揚程が高いときにも湯水を排水することができる高排水能力に定めることになる。
しかしながら、この場合には、排水揚程が低いときにも、排水ポンプが高排水能力にて作動することになるため、排水揚程が低いときにも、排水ポンプが高排水能力にて作動して、大きな騒音を発生する不都合がある。つまり、排水揚程が低いため、本来は、排水ポンプを低排水能力にて作動させることによって、低騒音化を図ることができるにも拘わらず、排水ポンプが高排水能力にて作動するため、大きな騒音を発生する不都合がある。
【０００８】
また、洗浄用排水運転を、排水ポンプを作動させたのち設定時間が経過すると、高排水能力にて作動させる排水ポンプの作動を停止する形態にて行う場合においては、その排水ポンプを作動させる設定時間は、排水揚程が高い場合においても洗浄空間内に貯留されている湯水の全量を適切に排出することができる時間に設定されることになる。
しかしながら、このように排水ポンプを作動させる設定時間を定める場合には、排水揚程が小さいときには、設定時間が経過するよりもかなり前に、洗浄空間に貯留されている湯水がなくなり、排水ポンプにエアー噛みが発生して、大きな騒音を発生する状態が、長時間に亘って生じることになる。
【０００９】
本発明は、上記実情に鑑みて為されたものであって、その目的は、排水揚程が変動しても、洗浄空間内の湯水を的確に排出できるようにしながらも、洗浄用排水運転において騒音の発生を極力抑制できる食器洗浄機を提供する点にある。
【課題を解決するための手段】
【００１０】
本発明の食器洗浄機は、洗浄槽の洗浄空間への湯水の供給を断続する湯水断続手段と、
前記洗浄空間の底部から湯水を吸引して外部に排出する排水ポンプと、
前記洗浄空間に貯留される湯水の水位が洗浄用水位であることを検出する水位検出手段と、
前記洗浄空間内の洗浄対象物を洗浄する洗浄処理、前記洗浄対象物をすすぐすすぎ処理、及び、前記洗浄対象物を乾燥する乾燥処理を実行する制御手段とが設けられ、
前記制御手段が、
前記洗浄処理及び前記すすぎ処理において、前記洗浄用水位の湯水を前記洗浄空間内に貯留して洗浄及びすすぎを行うべく、前記水位検出手段の検出情報に基づいて前記湯水断続手段を制御し、かつ、前記洗浄処理及び前記すすぎ処理の後で、前記洗浄空間内に貯留された湯水を排出すべく、前記排水ポンプを作動させる洗浄用排水運転を実行するように構成されたものであって、その第１特徴構成は、
前記水位検出手段が、前記洗浄空間に貯留される湯水の水位が前記洗浄用水位よりも低い湯水排出水位であることを検出するように構成され、
前記制御手段が、
前記洗浄用排水運転において、前記排水ポンプを設定排水能力にて作動させた状態を、前記水位検出手段にて前記湯水排出水位が検出されてから洗浄排水用の設定時間が経過するまで継続するように構成され、且つ、
前記水位検出手段にて前記洗浄用水位から前記湯水排出水位が検出されるまでの移行時間を計測して、その移行時間が設定基準時間よりも長い排水能力不足状態のときには、前記湯水排出水位が検出された時点以降において、前記設定排水能力を高排水能力側に変更設定するように構成され、
前記制御手段が、前記水位検出手段にて前記洗浄用水位が検出されている状態から前記洗浄用排水運転を実行するごとに、前記移行時間を計測して、前記排水能力不足状態であるごとに、前記設定排水能力を、設定増大量ずつ高排水能力側に変更設定するように構成され、
前記設定増大量が、前記移行時間と前記設定基準時間との差が大きいほど大きな量に定められるものである点を特徴とする。
【００１１】
すなわち、洗浄処理及びすすぎ処理の後で、洗浄空間内に貯留された湯水を排出すべく、排水ポンプを作動させる洗浄用排水運転が、排水ポンプを設定排水能力にて作動させた状態を、洗浄空間に貯留される湯水の水位を検出する水位検出手段にて湯水排出水位が検出されてから洗浄排水用の設定時間が経過するまで継続する形態にて行われる。
ちなみに、洗浄排水用の設定時間は、湯水排出水位の湯水を排水ポンプにて排出するのに必要とする時間に応じた時間に設定されることになる。
【００１２】
そして、洗浄用排水運転を実行するときに、水位検出手段にて洗浄用水位から湯水排出水位であることが検出されるまでの移行時間が計測されて、その計測時間が設定基準時間よりも長いと、排水能力不足状態であるとして、湯水排出水位が検出された時点以降において、設定排水能力が高排水能力側に変更設定されることになる。
【００１３】
したがって、当初は、設定排水能力を、排水揚程の低い場合に対応する低排水能力に設定した状態で、排水ポンプを作動させるようにしておき、水位検出手段にて洗浄用水位から湯水排出水位であることが検出されるまでの移行時間が、設定基準時間よりも長い場合には、排水揚程が高くて排水能力が不足する排水能力不足状態であるとして、設定排水能力を高排水能力側に変更設定して、洗浄排水用の設定時間が経過するまで、高排水能力側に変更設定された設定排水能力にて排水ポンプを作動させることができるため、設定排水能力を、当初は、排水揚程の低い場合に対応する能力に設定しておいても、排水揚程が高い場合には、設定排水能力を高排水能力側に変更設定されることにより、洗浄空間に貯留された湯水を的確に排出することができる。
【００１４】
しかも、排水揚程が低い場合には、水位検出手段にて洗浄用水位から湯水排出水位であることが検出されるまでの移行時間が、設定基準時間よりも長くならないため、設定排水能力が、低排水能力に設定され続けられることになるため、排水揚程が低いときに、設定排水能力が高排水能力に設定されることにより、排水ポンプの作動により騒音を発生することや、洗浄排水用の設定時間が経過するよりもかなり前に、洗浄空間に貯留されている湯水がなくなり、排水ポンプにエアー噛みが発生して、大きな騒音を発生する状態が長時間に亘って生じることを抑制できることになる。
【００１５】
ちなみに、移行時間が設定基準時間よりも長い排水能力不足状態である場合においては、湯水排出水位が検出された時点以降は、設定排水能力が高排水能力側に変更設定された状態が継続されることになるため、その後、洗浄処理及びすすぎ処理の後で、洗浄用排水運転を行う場合に、洗浄空間の湯水が洗浄用水位から湯水排出水位まで排出されるときや、湯水排出水位の湯水が排出されるときにおいて、高排水能力側に変更設定された設定排水能力にて排水ポンプが作動されることになるが、このように、排水ポンプが高排水能力側に変更設定された設定排水能力にて作動されると、排水揚程が高い状態においても、洗浄空間に貯留されている湯水の排出を迅速に行えることになり、洗浄用排水運転を行う運転時間の短縮化を図る上で好都合となる。
【００１６】
尚、設定排水能力を排水揚程に合わせた状態に変更設定するにあたり、当初から、設定排水能力を、排水揚程の高い場合に対応する能力に設定した状態で、排水ポンプを作動させるようにしておき、水位検出手段にて洗浄用水位から湯水排出水位であることが検出されるまでの移行時間が、短いと、排水揚程が低くて、排水能力が過剰である排水能力余剰状態であるとして、設定排水能力を低排水能力側に変更設定するように構成することが考えられるが、この場合、当初において、排水揚程が低いのにも拘わらず、設定排水能力が排水揚程の高い場合に対応する高排水能力に設定された状態で排水ポンプが作動して、排水ポンプが騒音を発生する不都合がある。
【００１７】
要するに、本発明の第１特徴構成によれば、排水揚程が変動しても、洗浄空間内の湯水を的確に排出できるようにしながらも、排水運転において騒音の発生を極力抑制できる食器洗浄機を提供できる。
また、本発明の第１特徴構成によれば、洗浄用排水運転が実行されるごとに、水位検出手段にて洗浄用水位から湯水排出水位であることが検出されるまでの移行時間が計測されて、その移行時間に基づいて排水能力不足状態であるか否かが判別される。
そして、排水能力不足状態であるごとに、設定排水能力が、設定増大量ずつ高排水能力側に変更設定されることになる。
このように、洗浄用排水運転を実行するごとに、移行時間を計測して、排水能力不足状態であるごとに、設定排水能力を、設定増大量ずつ高排水能力側に変更設定するものであるから、設定排水能力を、排水揚程に合わせた適正状態に適切に近づけることができるものとなる。
つまり、洗浄用排水運転を実行したときに計測した移行時間に基づいて、排水能力不足状態であるか否かを判別して、排水能力不足状態であるときには、設定排水能力を高排水能力側に変更設定することを、例えば、食器洗浄機を設置して、最初に洗浄用排水運転を実行したときにのみ行うようにすることが考えられるが、この場合、排水能力不足状態であるときには、設定排水能力を、排水揚程に合わせて高排水能力側に変更設定できるものの、１回の変更設定だけでは、設定排水能力を適正状態に近づけることは難しいものである。
要するに、本発明の第１特徴構成によれば、上記作用効果に加えて、設定排水能力を、排水揚程に合わせた適正状態に適切に近づけることができる食器洗浄機を提供できる。
また、本発明の第１特徴構成によれば、洗浄用排水運転が実行されるごとに、水位検出手段にて洗浄用水位から湯水排出水位であることが検出されるまでの移行時間が計測されて、排水能力不足状態であるごとに、設定排水能力が、設定増大量ずつ高排水能力側に変更設定されることになる。
そして、設定増大量が、移行時間と設定基準時間との差が大きいほど大きな量に定められるものであるから、移行時間と設定基準時間との差が大きいほど、換言すれば、排水揚程が高いほど、設定排水能力が、高排水能力側に大きく変更設定されることになる。
このように、移行時間と設定基準時間との差が大きいほど、設定排水能力が、高排水能力側に大きく変更設定されるものであるから、排水揚程が高くて、排水能力不足状態ではあるものの、排水揚程がさほど高くない場合には、設定排水能力が高排水能力側に過剰に変更設定されるのを抑制しながらも、排水揚程がかなり高い場合においては、その排水揚程に合わせた適正な排水能力に変更設定することを、洗浄用排水運転を多数回実行することなく、迅速に行えるものとなる。
要するに、本発明の第１特徴構成によれば、上記作用効果に加えて、排水能力不足状態ではあるものの、排水揚程がさほど高くない場合において、設定排水能力が高排水能力側に過剰に変更設定されるのを抑制し、かつ、排水揚程がかなり高い場合においては、その排水揚程に合わせた適正な排水能力に変更設定することを迅速に行える食器洗浄機を提供できる。
【００１８】
本発明の第２特徴構成は、上記した第１特徴構成に加えて、
前記洗浄空間からの空気吸引口と前記洗浄空間への空気供給口とに亘る通風経路を通して通風手段にて循環される前記洗浄空間の空気を、除湿用の湯水との接触により冷却することにより、空気中の水分を凝縮させて除湿し、かつ、除湿処理後の湯水及び凝縮水を前記洗浄槽内に流動させるように構成された除湿部と、
前記洗浄空間の空気を加熱する加熱手段と、
前記湯水断続手段が、前記除湿部への湯水供給の断続を行うように構成され、
前記洗浄空間の底部に貯留される湯水の水位が前記洗浄用水位よりも低い乾燥用排出水位であることを検出する乾燥用排出水位検出手段が設けられ、
前記制御手段が、
前記乾燥処理において、前記加熱手段にて前記洗浄空間の空気を加熱しながら、前記除湿用の湯水と前記通風経路を通過する空気とを接触させるべく、前記通風手段、前記加熱手段、及び、前記湯水断続手段を制御し、かつ、前記乾燥用排出水位検出手段にて前記乾燥用排出水位が検出されると、その乾燥用排出水位の湯水を排出すべく、前記排水ポンプを乾燥排水用設定時間が経過するまで作動させる乾燥用排水運転を繰り返すように構成され、且つ、
前記乾燥用排水運転において、前記洗浄用排水運転について設定した前記設定排水能力にて前記排水ポンプを作動させるように構成されている点を特徴とする。
【００１９】
すなわち、乾燥処理として、加熱手段にて洗浄空間の空気を加熱しながら、通風経路を通過する空気を、除湿用の湯水との接触により冷却することにより、空気中の水分を凝縮させて除湿する処理を行うものであるから、乾燥処理を行う際に、湿った空気が機外に排出されることがないため、湿った空気が、使用者や食器洗浄機が設置されている箇所に存在する他の機器類に吹き付けられることを抑制できるものとなり、使用勝手がよいものとなる。
【００２０】
また、乾燥処理を行うときには、除湿部からの除湿処理後の湯水及び凝縮水が洗浄槽内に流動され、そして、洗浄槽内の洗浄空間の底部に貯留される湯水が乾燥用排出水位になるごとに、洗浄用排水運転について設定した設定排水能力にて、排水ポンプを乾燥排水用設定時間が経過するまで作動させる乾燥用排水運転が繰り返されることになる。
ちなみに、乾燥用排出水位は、洗浄槽内の洗浄対象物や加熱手段を浸漬させない水位に定められることになり、また、乾燥排水用設定時間は、洗浄空間の底部に貯留されている乾燥用排出水位の湯水を、的確に排出することができる時間に定められることになる。
【００２１】
このように、除湿部からの除湿処理後の湯水及び凝縮水を、洗浄槽内に流動させて、排水ポンプを用いて、外部に排出するものであるから、排水ポンプの排出能力を用いて、除湿部からの除湿処理後の湯水及び凝縮水を的確に外部に排出することができる。
つまり、洗浄処理やすすぎ処理のために洗浄空間に貯留された湯水を排出するために備えられている排水ポンプを用いて、除湿部からの除湿処理後の湯水及び凝縮水を外部に排出するものであるから、本来構成を有効利用した簡素な構成にて、除湿部からの除湿処理後の湯水及び凝縮水を的確に外部に排出することができるのである。
【００２２】
また、洗浄槽内の洗浄空間の底部に貯留される湯水が乾燥用排出水位になるごとに、排水ポンプを乾燥排水用設定時間が経過するまで作動させる乾燥用排水運転を、繰り返すようにするものであるから、例えば、乾燥処理中は、除湿部からの除湿処理後の湯水及び凝縮水が洗浄槽に流動する単位時間当たりの流量に合わせた排出能力にて排水ポンプを連続的に作動させながら、洗浄槽内に流動される除湿部からの除湿処理後の湯水及び凝縮水を連続的に排出するように構成する場合に較べて、ランニングコストの低下を図ることができる。
【００２３】
さらに、乾燥用排水運転において、洗浄用排水運転について設定した設定排水能力にて排水ポンプを作動させるものであるから、排水揚程が変動しても、洗浄空間の底部に貯留されている乾燥用排出水位の湯水を、的確に排出することができ、しかも、排水揚程が低い状態であるにも拘わらず、設定排水能力が、排水揚程が高い高排水能力に設定されることを回避して、乾燥排水用設定時間が経過するよりもかなり前に、洗浄空間に貯留されている湯水がなくなり、排水ポンプにエアー噛みが発生して、大きな騒音を発生する状態が長時間に亘って生じることを抑制できることになる。
【００２４】
要するに、本発明の第２特徴構成によれば、上記第１特徴構成による作用効果に加えて、湿った空気が機外に排出されることがなくて、使い勝手が良い状態で乾燥処理を行うことができ、しかも、その乾燥処理にて生じる除湿処理後の湯水及び凝縮水を、本来構成を有効利用した簡素な構成で、且つ、ランニングコストの低下を図る形態にて、的確に外部に排出することができるのであり、さらには、除湿処理後の湯水及び凝縮水を排出することを、排水揚程が変動しても的確に、かつ、騒音を発生する状態が長時間に亘って生じることを抑制した状態で行うことができる食器洗浄機を提供できる。
【００３４】
本発明の第３特徴構成は、上記した第１又は第２特徴構成に加えて、
前記制御手段が、前記洗浄用排水運転を開始する際に、前記水位検出手段が前記洗浄用水位よりも低い水位であることを検出している場合には、前記排水ポンプの作動を停止させた状態で待機して、前記水位検出手段が前記洗浄用水位を検出すると、前記洗浄用排水運転を開始するように構成されている点を特徴とする。
【００３５】
すなわち、制御手段が、洗浄用排水運転を開始する際に、水位検出手段が洗浄用水位よりも低い水位であることを検出している場合には、排水ポンプの作動を停止させた状態で待機することになる。
そして、待機しているときに、水位検出手段が洗浄用水位を検出すると、洗浄用排水運転を開始することになる。
【００３６】
つまり、例えば、洗浄用空間に洗浄用水位の湯水を貯留しておいても、洗浄処理を行うときに、多量の泡が発生して、泡の生成に湯水が使用されることにより、洗浄処理後において、洗浄空間に貯留されている湯水の水位が、洗浄用水位よりも低くなる虞がある。
そして、このような状態においては、時間の経過に伴って、生成された泡が消滅して、洗浄空間に貯留されている湯水の水位が、洗浄用水位に復帰することが考えられる。
【００３７】
そこで、洗浄用排水運転を開始する際に、水位検出手段が洗浄用水位よりも低い水位であることを検出している場合には、排水ポンプの作動を停止させた状態で待機して、水位検出手段が洗浄用水位を検出すると、洗浄用排水運転を開始することにより、水位検出手段にて洗浄用水位から前記湯水排出水位が検出されるまでの移行時間を、適正通り計測して、設定排水能力を変更設定することを的確に行うことができるのである。
【００３８】
要するに、本発明の第３特徴構成によれば、上記した第１又は第２特徴構成による作用効果に加えて、洗浄用排水運転を開始する際に、水位検出手段が洗浄用水位よりも低い水位であることを検出している場合においても、設定排水能力を変更設定することを的確に行うことができる食器洗浄機を提供できる。
【００３９】
本発明の第４特徴構成は、上記した第３特徴構成に加えて、
前記制御手段が、前記洗浄用排水運転を開始する際に、前記水位検出手段が前記洗浄用水位よりも低い水位であることを検出している場合において、設定待機時間が経過しても前記水位検出手段が前記洗浄用水位を検出しないときには、前記洗浄用排水運転を開始し、かつ、前記移行時間の計測を中止するように構成されている点を特徴とする。
【００４０】
すなわち、制御手段が、洗浄用排水運転を開始する際に、水位検出手段が洗浄用水位よりも低い水位であることを検出している場合には、排水ポンプの作動を停止させた状態で待機して、待機しているときに、水位検出手段が洗浄用水位を検出すると、洗浄用排水運転を開始することになる。
そして、設定待機時間が経過しても水位検出手段が洗浄用水位を検出しないときには、洗浄用排水運転を開始し、かつ、移行時間の計測を中止することになる。
【００４１】
つまり、洗浄用排水運転を開始する際に、水位検出手段が洗浄用水位よりも低い水位であることを検出している場合には、時間の経過に伴って、生成された泡が消滅して、洗浄空間に貯留されている湯水の水位が、洗浄用水位に復帰することが考えられるため、設定待機時間が経過するまで待機することになる。
しかしながら、設定待機時間が経過するまで待機しても、水位検出手段が洗浄用水位を検出しないときには、泡が発生し易い洗剤を使用者が誤って使用して、多量に泡が発生した状態等であり、湯水の水位が洗浄用水位に復帰し難い状態であると考えられるため、移行時間の計測を中止する条件で、洗浄用排水運転を開始するのである。
【００４２】
ちなみに、移行時間の計測が中止された場合には、排水ポンプを作動させる設定排水能力を変更設定することは行われずに、設定排水能力は、現在の設定排水能力に維持されることになる。
【００４３】
このように、洗浄用排水運転を開始する際に、水位検出手段が洗浄用水位よりも低い水位であることを検出している場合において、設定待機時間が経過するまで待機しても、水位検出手段が洗浄用水位を検出しないときには、移行時間の計測を中止する条件で、洗浄用排水運転を開始するものであるから、洗浄用排水運転を、その開始が大きく遅れることを回避しながら実行できるのである。
【００４４】
要するに、本発明の第４特徴構成によれば、上記した第３特徴構成による作用効果に加えて、洗浄用排水運転を開始する際に、水位検出手段が洗浄用水位よりも低い水位であることを検出している場合において、洗浄用排水運転を、その開始が大きく遅れることを回避しながら実行できる食器洗浄機を提供できる。
【図面の簡単な説明】
【００４５】
【図１】食器洗浄機の斜視図
【図２】洗浄槽を収納した状態の切欠側面図
【図３】食器洗浄機の概略構成図
【図４】乾燥用空気の流動状態を示す概略斜視図
【図５】水位検出センサの切欠斜視図
【図６】湯水排出水位の検出状態の縦断側面図
【図７】洗浄用水位の検出状態の縦断側面図
【図８】異常水位の検出状態の縦断側面図
【図９】制御構成を示すブロック図
【図１０】時間差と設定増大速度との関係を示す図
【図１１】制御作動を示すフローチャート
【図１２】制御作動を示すフローチャート
【図１３】制御作動を示すフローチャート
【発明を実施するための形態】
【００４６】
〔実施形態〕
次に、本発明の実施形態を図面に基づいて説明する。
図１及び図２に示すように、前面部が開口された本体ケース部としての本体部１が設けられ、平面視形状が四角状の洗浄槽Ｄを備えた引出し部２が、本体部１に対して、水平方向に沿って引出し及び収納自在に設けられて、食器洗浄機の一例としての引出し式の食器洗浄機が構成されている。
尚、例示はしないが、引出し部２を本体部１に対して移動自在に支持するスライド式レール機構が設けられており、引出し部２が、その大部分を本体部１の外方に露出させる状態に引き出すことができるように構成されている。
【００４７】
そして、引出し部２を本体部１に収納した状態において洗浄槽Ｄの上面部を閉塞する内蓋部３が、引出し部２を本体部１から引き出した状態では洗浄槽Ｄの上面部を開口するように、引出し部２の引き出し及び収納に伴って自動的に開閉される形態で設けられており、洗浄槽Ｄの内部空間にて、開閉自在な洗浄空間Ｑが構成されている。
尚、図２に示すように、本体部１の底部には、漏水受止め用のドレンパン１４が配備されており、例示はしないが、このドレンパン１４にて受止め回収された水の存否を検出する漏水センサが装備されることになる。
【００４８】
引出し部２の前面部には、本体部１の前面部の開口を開閉する扉体Ａが設けられ、その扉体Ａには、引出し部２を本体部１から引き出すときや収納するときに把持するための把持部Ｂが設けられている。尚、詳述はしないが、把持部Ｂの内方側箇所には、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するようになっている。そして、係合手段Ｐは、引出し部２を本体部１から引き出すときに把持部Ｂを支持する手指にて、係合を解除する解除状態に操作できるようになっている。
また、扉体Ａには、運転のための各種操作を行う操作部ＳＳが設けられている。
【００４９】
図３に示すように、上水道等の湯水供給源に接続された給水路４Ａ、その給水路４Ａから分岐される洗浄槽用分岐路４Ｂ、及び、給水路４Ａから分岐される除湿用分岐路４Ｃが設けられている。
洗浄槽用分岐路４Ｂは、洗浄槽Ｄの洗浄空間Ｑ内に洗浄及びすすぎのための湯水を供給する給水口５（図２参照）に接続され、除湿用分岐路４Ｃは、洗浄槽Ｄの前側壁部Ｄｆに装備される後述の除湿部Ｇに接続されている。
【００５０】
そして、給水路４Ａを開閉する第１開閉弁Ｖ１と、洗浄槽用分岐路４Ｂを開閉する第２開閉弁Ｖ２と、除湿用分岐路４Ｃに装備されて、第１開閉弁Ｖ１及び第２開閉弁Ｖ２の開き状態において、その除湿用分岐路４Ｃを通流する湯水の通流量が洗浄槽用分岐路４Ｂを通流する湯水の通流量よりも少なくなるように制限する定流量弁Ｖ３とが設けられ、第１開閉弁Ｖ１、第２開閉弁Ｖ２、及び、定流量弁Ｖ３から、給水口５への湯水供給の断続と前記除湿部Ｇへの湯水供給の断続とを行う湯水断続手段Ｅが構成されている。
【００５１】
つまり、洗浄空間Ｑに湯水を供給するときには、第１開閉弁Ｖ１、及び、第２開閉弁Ｖ２が開かれることになり、除湿部Ｇだけに湯水を供給するときには、第１開閉弁Ｖ１が開かれ、第２開閉弁Ｖ２が閉じられることになる。
尚、第１開閉弁Ｖ１には、洗浄槽用分岐路４Ｂを通流する湯水の通流量を、除湿用分岐路４Ｃを通流する湯水の通流量（例えば、２００ｍｌ／分）よりも十分に大きい通流量ではあるものの、過大な通流量となることを抑制すべく制限する定流量弁Ｖ４が、一体的に組み込まれる状態で装備されている。
【００５２】
また、第１開閉弁Ｖ１、第２開閉弁Ｖ２、及び、定流量弁Ｖ３が、本体部１の背部側箇所に配設され、洗浄槽用分岐路４Ｂにおける第２開閉弁Ｖ２と給水口５とを接続する部分が、可撓性ホースＲ１にて構成され、除湿用分岐路４Ｃにおける定流量弁Ｖ３と除湿部Ｇとを接続する部分が、可撓性ホースＲ２にて構成されている。
【００５３】
また、図２及び図３に示すように、引出し部２における洗浄槽Ｄの底部下方には、正転で洗浄用ポンプとして機能し、逆転で排水用ポンプとして機能する兼用ポンプ６が設けられ、洗浄槽Ｄの洗浄空間Ｑの内部には、洗浄用ノズル８や加熱手段としての電気式の加熱ヒータ９などが配置され、さらに、食器などの洗浄対象物を収納載置する洗浄かご１０が、洗浄槽Ｄの内部に着脱自在に装着されている。
【００５４】
兼用ポンプ６は、洗浄槽Ｄの底部に形成した水貯留用凹部Ｓに、吸引管１１にて接続され、かつ、この兼用ポンプ６には、排水管１２が接続されている。
つまり、兼用ポンプ６は、正転状態においては、洗浄空間Ｑの底部に貯留した湯水を洗浄用ノズル８に圧送して、洗浄用ノズル８から湯水を噴出させることになり、また、逆転状態においては、排水管１２を通して、洗浄空間Ｑ内に貯留されている湯水を外部に排出することになる。
【００５５】
排水管１２が、引き出し部２の背部に延びる状態で装備され、その排水管１２の先端部と、本体部１の背部側箇所に配設された排水トラップ１２Ｂとが、排水ホース１２Ａにて接続され、そして、排水トラップ１２Ｂには、外部接続ホース１２Ｃが接続されている。
したがって、外部接続ホース１２Ｃが、食器洗浄機を設置する箇所に装備されている設置箇所の排水管に接続されることにより、洗浄空間Ｑの湯水を外部に排水できるようになっている。
尚、設置箇所の排水管が低位置に配備される場合には、外部接続ホース１２Ｃは、水平方向に伸びる姿勢で配置されることになるが、設置箇所の排水管が高位置に配備される場合には、外部接続ホース１２Ｃは、上方に向けて伸びる姿勢で配置されることになり、その結果、洗浄空間Ｑの湯水を排出する際の排水揚程が変化することになる。
【００５６】
また、図３に示すように、水貯留用凹部Ｓには、連通路としての案内管１３を介して水位検出センサＪが接続されている。
この水位検出センサＪは、後述の如く、洗浄槽Ｄの洗浄空間Ｑ内に貯留される湯水の水位が洗浄用水位Ｙ２（図７参照）であること、洗浄槽Ｄの洗浄空間Ｑ内に貯留される湯水の水位が、洗浄空間Ｑから大部分の湯水を排出した状態に相当して、加熱ヒータ９が露出する程度に低い湯水排出水位Ｙ１ａ（図６参照）であること、洗浄槽Ｄ内に貯留される湯水が洗浄用水位Ｙ２より設定量高い異常水位Ｙ３（図８参照）であること、及び、洗浄槽Ｄの洗浄空間Ｑ内に貯留される湯水の水位が、上記湯水排出水位Ｙ１ａよりも少し高くて、加熱ヒータ９が露出する程度に低い乾燥用排出水位Ｙ１ｂ（図６参照）を検出するように構成されている。
【００５７】
つまり、水位検出センサＪは、洗浄槽Ｄの洗浄空間Ｑ内に貯留される湯水の水位が洗浄用水位Ｙ２であること、および、洗浄槽Ｄの洗浄空間Ｑ内に貯留される湯水の水位が洗浄用水位Ｙ２よりも低い湯水排出水位Ｙ１ａであることを検出する水位検出手段、洗浄槽Ｄの洗浄空間Ｑ内に貯留される湯水の水位が洗浄用水位Ｙ２よりも低い乾燥用排出水位Ｙ１ｂであることを検出する乾燥用排出水位検出手段、及び、洗浄槽Ｄの洗浄空間Ｑ内に貯留される湯水の水位が異常水位Ｙ３であることを検出する異常水位検出手段の夫々を構成することになる。
【００５８】
尚、本実施形態においては、水位検出センサＪにて洗浄用水位Ｙ２が検出されるときには、洗浄空間Ｑには２．４Ｌ（リットル）の湯水が貯留され、その状態から湯水を排出して湯水排出水位Ｙ１ａが水位検出センサＪにて検出されたときには、洗浄空間Ｑには０．９Ｌ（リットル）に相当する湯水が残存する（貯留される）状態となる。
【００５９】
図２及び図３に示すように、洗浄槽Ｄの前側壁部Ｄｆには、乾燥ユニットＫが取り付けられている。
つまり、前側壁部Ｄｆには、図４にも示すように、乾燥ユニットＫからの空気を洗浄空間Ｑに供給する空気供給口２１、及び、乾燥ユニットＫが洗浄空間Ｑ内の空気を吸引する空気吸引口２２が、洗浄空間Ｑの下位側に相当する箇所でかつ左右両側に離れた位置に形成されている。具体的には、空気供給口２１及び空気吸引口２２は、洗浄かご１０よりも下方側でかつ上述の水貯留用凹部Ｓよりも上方側に位置するように形成され、そして、本実施形態においては、空気供給口２１を右側に、且つ、空気吸引口２２を左側に位置させている。
【００６０】
乾燥ユニットＫは、図３に示すように、洗浄槽Ｄの前側壁部Ｄｆに止着されるケーシング２０の内部に、空気吸引口２２と空気供給口２１とに亘る通風経路Ｆを通して洗浄空間Ｑの空気を循環させる通風手段としての循環ファン２３、及び、通風経路Ｆを通して循環される空気を除湿する上述の除湿部Ｇを備えて構成されている。
通風経路Ｆは、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に、除湿部Ｇが配設され、下降経路部分ｆ２に、循環ファン２３が配設されている。
【００６１】
除湿部Ｇは、複数枚の伝熱板２４を板厚方向に沿って間隔を隔てて並置して、それら伝熱板２４に向けて除湿用の湯水を噴出ノズル２５から噴出することによって、複数枚の伝熱板２４の間を通して上方に向けて流動する空気を、伝熱板２４の表面を流下する除湿用水との接触及び伝熱板２４の間を流下する除湿用水との接触により冷却することにより、空気中の水分を凝縮させて除湿するように構成されている。
尚、噴出ノズル２５から噴出された除湿用の湯水及び凝縮された湯水は、空気吸引口２２を通して洗浄槽Ｄの洗浄空間Ｑ内に流動して水貯留用凹部Ｓに貯留されることになる。
【００６２】
そして、電気式の加熱ヒータ９を加熱作用させた状態で、循環ファン２３を通風作動させ且つ噴出ノズル２５から除湿用の湯水を噴出させることにより、洗浄空間Ｑから吸引した空気を除湿部Ｇにて除湿したのち、乾燥用の空気として洗浄空間Ｑに供給し、その供給された空気を電気式の加熱ヒータ９にて加熱することにより、洗浄空間Ｑ内の洗浄対象物を乾燥する乾燥運転を行えるように構成されている。
【００６３】
また、電気式の加熱ヒータ９を停止させた状態で、循環ファン２３の通風作動及び噴出ノズル２５からの除湿用の湯水の噴出作動を行わせることにより、洗浄空間Ｑから吸引した空気中の臭気成分を除湿部Ｇにて除湿用水に吸収させたのち、洗浄空間Ｑに供給することにより、洗浄空間Ｑを消臭する消臭運転を行えるように構成されている。
【００６４】
乾燥運転における空気の流れについて説明を加えると、図４に示すように、洗浄槽Ｄの前側壁部Ｄｆに形成した空気供給口２１から洗浄空間Ｑに供給される空気は、主たる流れとして、上昇しながら背部側に向けて流動し、その後、前側壁部Ｄｆにおける下方側で且つ空気供給口２１とは左右方向で離れた位置に形成した空気吸引口２２に向けて下方側に移動しながら流動して、空気吸引口２２から排出される形態で流れることになり、洗浄槽内における空気吸引口２２が位置する側の下方側の部分にも、空気が流動し易いものとなるのである。
したがって、洗浄槽内の洗浄対象物の全体に空気を通流させて、洗浄対象物を効率良く乾燥することにより、乾燥時間の短縮化を図ることができるものとなる。
【００６５】
図３に示すように、引出し部２には、運転を制御する制御手段としての制御部Ｈが装備されている。
そして、この制御部Ｈが、図９に示すように、操作部ＳＳにて入力される指令に基づいて、兼用ポンプ６を駆動する直流モータ６ａ、電気式の加熱ヒータ９、循環ファン２３、及び、湯水断続手段Ｅの作動を制御して、洗浄槽Ｄの内部にて形成される洗浄空間Ｑの洗浄対象物を洗浄する洗浄処理としての洗浄運転、洗浄対象物のすすぎを行うすすぎ処理としてのすすぎ運転、洗浄槽Ｄの洗浄空間Ｑに貯留された湯水を排水する排水処理としての排水運転、電気式の加熱ヒータ９を加熱作用させた状態で、循環ファン２３の通風作動及び噴出ノズル２５からの除湿用の湯水の噴出作動を行わせる乾燥処理としての乾燥運転、及び、電気式の加熱ヒータ９を停止させた状態で、循環ファン２３の通風作動及び噴出ノズル２５からの除湿用の湯水の噴出作動を行わせる消臭処理としての消臭運転を行うように構成されている。
【００６６】
図９において、６Ａは、兼用ポンプ６を駆動する直流モータ６ａに印加する駆動電圧を調整する直流モータ駆動回路であり、直流モータ６ａに印加する駆動電圧の正負の向きを、制御部Ｈから指令される回転方向指令に応じて設定し、かつ、直流モータ６ａに印加する駆動電圧の大きさを、制御部Ｈから指令される指令電圧に調整するように構成されている。
つまり、直流モータ駆動回路６Ａは、直流モータ６ａに印加する駆動電圧の正負を切換えることにより、直流モータ６ａを正転又は逆転状態で駆動し、かつ、正転駆動状態及び逆転駆動状態の夫々において、直流モータ６ａに印加する駆動電圧の大きさを調整することにより、兼用ポンプ６の回転速度を変更できるように構成されている。
【００６７】
そして、本実施形態においては、制御部Ｈが、兼用ポンプ６の回転速度を検出する回転速度検出手段としての回転速度センサＭの検出情報に基づいて、兼用ポンプ６を目標回転速度にて、正転及び逆転駆動すべく、直流モータ６ａに供給する駆動電圧を比例積分制御により求めて、その駆動電圧を指令電圧として、直流モータ駆動回路６Ａに指令する回転速度調整処理（以下、ＦＢ制御と略称）を実行するように構成されている。
尚、本実施形態においては、直流モータ６ａを逆転駆動する際の目標回転速度を変更することによって、兼用ポンプ６の排水能力が変更調整されることになる。
【００６８】
又、図９において、Ｌ１は、操作部ＳＳに設けた警報ランプ、Ｌ２は、操作部ＳＳに内蔵した警報ブザー、Ｌ３は、操作部ＳＳに設けた表示部であり、これら警報ランプＬ１、警報ブザーＬ２、及び、表示部Ｌ３が、異常が発生したときに警報作動する警報手段Ｌとして機能することになる。ちなみに、表示部Ｌ３には、発生した異常の内容に対応するコードが表示されることになる。
尚、図９において、Ｎは、引出し部２が本体部１の収納位置に収納されたことを検出する収納スイッチ、９Ａは、加熱ヒータ９の駆動回路、２３Ａは、循環ファン２３の駆動電圧を調整する駆動ファン駆動回路である。
【００６９】
次に、制御部Ｈが実行する運転について説明を加える。
尚、操作部ＳＳにより、洗浄運転、すすぎ運転、乾燥運転、消臭運転の順に運転させる連続運転コースや、乾燥運転のみ運転させる乾燥のみコースなど各種の運転コースを選択できるように構成され、さらに、連続運転コースとして、標準運転コース、念入り運転コース、スピーディ運転コース、快速運転コースを選択できるように構成されているが、本実施形態においては、連続コースの標準運転コースについてのみ説明する。
【００７０】
図１１のフローチャートに基づいて、制御部Ｈの制御作動について説明する。
先ず、収納スイッチＮにより、引出し部２が本体部１の収納位置に収納されることが検出され（＃１）、操作部ＳＳの電源スイッチがＯＮ操作され（＃２）、運転コースの選択が行われ（＃３）、操作部ＳＳのスタートスイッチがＯＮ操作されると（＃４）、選択された運転コースが実行されることになる。
【００７１】
以下、連続コースの標準運転コースが選択されて、操作部ＳＳのスタートスイッチがＯＮ操作された場合であるとして、説明を続ける。
操作部ＳＳスタートスイッチがＯＮ操作された後は、先ず、洗浄運転（＃５）、その洗浄運転後の排水運転（＃６）が実行され、次に、すすぎ運転（＃７）、そのすすぎ運転後の排水運転（＃８）が実行される。そして、すぎ運転が２回終了したか否かが判別されて（＃９）、２回終了していない場合には、すすぎ運転（＃７）、そのすすぎ運転後の排水運転（＃８）が再び実行される。
【００７２】
＃９にて、すすぎ運転が２回終了したと判別した場合には、加熱すすぎ運転（＃１０）、その加熱すすぎ運転後の排水運転（＃１１）が実行され、引き続き、乾燥運転（＃１２）、消臭運転（＃１３）が順次実行される。
【００７３】
洗浄運転は、先ず、第１開閉弁Ｖ１及び第２開閉弁Ｖ２を開弁して、給水路４Ａ及び洗浄槽用分岐路４Ｂを通して給水口５から洗浄空間Ｑ内に湯水を供給することに加えて、除湿用分岐路４Ｃを通して除湿部Ｇに湯水を供給して、その除湿部Ｇから空気吸引口２２を通して洗浄空間Ｑ内に湯水を供給する。そして、洗浄空間Ｑの水位が洗浄用水位Ｙ２に達したことが水位検出センサＪにて検出されると、第１開閉弁Ｖ１及び第２開閉弁Ｖ２を閉じて、洗浄空間Ｑへの湯水の供給を停止する。
【００７４】
その後、兼用ポンプ６を正転作動させ且つ加熱ヒータ９を作動させて、洗浄水を洗浄用ノズル８から洗浄対象物に向けて噴出する洗浄動作を、設定された洗浄運転時間が経過するまで行うことになる。
尚、使用者が操作部ＳＳのスタートスイッチをＯＮ操作する前に洗浄用洗剤を洗浄槽Ｄ内に投入しておくことにより、洗剤を用いた洗浄を行うことができる。
【００７５】
洗浄運転後の排水運転は、兼用ポンプ６を逆転作動させ、洗浄槽Ｄ内の湯水を排水する排水動作を開始し、その後、水位検出センサＪにて湯水排出水位Ｙ１ａが検出されると、その時点から洗浄排水用の設定時間（例えば１５秒）が経過するまで、排水動作を継続して行うことになる。
【００７６】
すすぎ運転は、上述の洗浄運転と同様に、洗浄空間Ｑに湯水を供給して、水位検出センサＪにて洗浄用水位Ｙ２が検出されると、湯水の供給を停止することになる。
その後、兼用ポンプ６および加熱ヒータ９を作動させて、加熱ヒータ９にて加熱されたすすぎ水により洗浄対象物をすすぐことになるすすぎ動作を、設定されたすすぎ運転時間が経過するまで行うことになる。
【００７７】
すすぎ運転後の排水運転は、洗浄運転後の排水運転と同様に、兼用ポンプ６を逆転作動させて、洗浄槽Ｄ内の湯水を排水する排水動作を、水位検出センサＪにて湯水排出水位Ｙ１ａが検出されてから洗浄排水用の設定時間（例えば１５秒）が経過するまで、継続して行うことになる。
【００７８】
加熱すすぎ動作は、上述の洗浄運転と同様に、洗浄空間Ｑに湯水を供給して、水位検出センサＪにて洗浄用水位Ｙ２が検出されると、湯水の供給を停止することになる。
その後、兼用ポンプ６および加熱ヒータ９を作動させて、加熱ヒータ９にて加熱されたすすぎ水により洗浄対象物をすすぐようにするすすぎ動作を行うことになり、そして、図外の温度センサにより、すすぎ水の温度が仕上げ用設定温度（例えば、６７℃）になると、加熱すすぎ動作を終了することになる。
【００７９】
加熱すすぎ運転後の排水運転は、洗浄運転後の排水運転と同様に、兼用ポンプ６を逆転作動させて、洗浄槽Ｄ内の湯水を排水する排水動作を、水位検出センサＪにて湯水排出水位Ｙ１ａが検出されてから洗浄排水用の設定時間（例えば１５秒）が経過するまで、継続して行うことになる。
【００８０】
乾燥運転は、電気式の加熱ヒータ９を加熱作用させた状態で、循環ファン２３の通風作動及び噴出ノズル２５からの除湿用の湯水の噴出作動を行わせることになり、その状態を設定乾燥処理時間（例えば、２５分）が経過するまで継続させる。
そして、乾燥運転中において、水位検出センサＪにて上述した乾燥用排出水位Ｙ１ｂであることが検出されると、乾燥用排水運転を行うことになる。
この乾燥用排水運転は、兼用ポンプ６を逆転作動させて排水する排水動作を、乾燥排水用の設定時間（例えば、１５秒）が経過するまで行うことになる。
【００８１】
消臭運転は、電気式の加熱ヒータ９を停止させた状態で、循環ファン２３の通風作動及び噴出ノズル２５の除湿用水の噴出作動を行わせることになり、その状態を消臭用設定時間が経過するまで行う。
そして、消臭運転中において、乾燥運転の場合と同様に、水位検出センサＪにて乾燥用排出水位Ｙ１ｂが検出されると、消臭用排水運転を行うことになる。
この消臭用排水運転は、乾燥用排水運転と同様に、兼用ポンプ６を逆転作動させて排水する排水動作を、水位検出センサＪにて湯水排出水位Ｙ１ａが検出されてから消臭排水用の設定時間（例えば、１５秒）が経過するまで継続して行うことになる。
【００８２】
ちなみに、以下の説明においては、洗浄運転後の排水運転、すすぎ運転後の排水運転、及び、加熱すすぎ運転後の排水運転を、洗浄用排水運転と呼称する。
【００８３】
本実施形態の食器洗浄機においては、図２及び図３に示すように、閉じた状態の洗浄空間Ｑの内部圧が機外圧となるように自動調整する圧力調整手段Ｗが設けられている。
すなわち、例えば、洗浄処理において、電気式の加熱ヒータ９を加熱させたときには洗浄空間Ｑ内の温度はかなりの高温（例えば６７℃）になる。その後、洗浄水が排出されて、すすぎ処理のためにすすぎ水が洗浄空間Ｑに供給され、そのすすぎ水が兼用ポンプ６の作動により洗浄用ノズル８より噴出されることになるが、そのすすぎ水の温度は低温（例えば１３〜１７℃）である。このため、低温のすすぎ水が洗浄用ノズル８から噴出されると、洗浄空間Ｑ内の温度が急激に低下するものとなり、その結果、洗浄空間Ｑ内の多量の空気が急激に収縮し、洗浄空間Ｑの内部圧が大きく減少しようとすることがあるが、このようなときには、圧力調整手段Ｗの作用によって、洗浄空間Ｑの内部圧が機外圧となるように自動調整されることになる。
【００８４】
圧力調整手段Ｗは、洗浄槽Ｄの後側壁部ＤＲに形成した連通孔３２（図３参照）を通して、洗浄槽Ｄ内の洗浄空間Ｑと連通して、洗浄空間Ｑ内の圧力を調整するように構成されるものであるが、本実施形態においては、その詳細な構成についての説明は省略する。
尚、圧力調整手段Ｗには、結露水が生じることがあるが、その結露水が水位検出センサＪを介して、洗浄槽Ｄに回収されるように構成されている。
【００８５】
次に、水位検出センサＪについて、図５〜図８に基づいて説明する。
上述の案内管１３にて洗浄槽Ｄ内の湯水が導入される水位検出用の湯水貯留槽４０と、湯水貯留槽４０の内部に装備されて、その湯水貯留槽４０に貯留される湯水の水位に応じて昇降する水位検出用のフロート４１と、フロート４１の本体部４１Ａから上方に延びる軸部４１Ｂを昇降自在に案内する案内部Ｕと、湯水貯留槽４０の上端よりも上方側箇所に位置されて、フロート４１の上下２つの昇降位置を検出する一対の第１水位検出部Ｔ１及び第２水位検出部Ｔ２とが設けられている。
【００８６】
湯水貯留槽４０は、横断面形状が４角形状の有底筒状に形成されるものであって、その底部には、上述した案内管１３が接続される連結用筒部４０Ｃが形成され、そして、上部に外嵌される蓋体４２にて、その上方開口が覆われるようになっている（図５参照）。
【００８７】
ちなみに、湯水貯留槽４０の上端側部分は、洗浄水受け入れ部４０Ａ、及び、圧力調整手段Ｗからの結露水を受け止める結露水受け部４０Ｂが、外方に突出状態で設けられ、蓋体４２が、洗浄水受け入れ用の貯留部４０Ａ及び結露水受け部４０Ｂを覆う状態に形成され、そして、蓋体４２における結露水受け部４０Ｂを覆う部分には、圧力調整手段Ｗとの連結用の開口部Ｖｋが形成されている。
尚、洗浄水受け入れ部４０Ａの機能については後述する。
【００８８】
フロート４１の上下２つの昇降位置は、上述の洗浄用水位Ｙ２を検出するための昇降位置（図７参照）と、上述の湯水排出水位Ｙ１ａを検出するための昇降位置（図６参照）とであり、第１水位検出部Ｔ１が、高位側の洗浄用水位Ｙ２を検出する昇降位置にフロート４１が位置することを検出し、第２水位検出部Ｔ２が、低位側の湯水排出水位Ｙ１ａを検出する昇降位置にフロート４１が位置することを検出するように構成されている。
【００８９】
第１水位検出部Ｔ１及び第２水位検出部Ｔ２が、フォトインタラプタ式の光センサを用いて構成され、第１水位検出部Ｔ１が、蓋体４２の上部に突設した第１センサ取付け部４２ａに装着され、第２水位検出部Ｔ２が、蓋体４２の上部に突設した第２センサ取付け部４２ｂに装着されている。
尚、図５〜８においては、水位検出センサＪの内部構造を示すために、湯水貯留槽４０及び蓋体４２の一部の記載が省略されている。そして、第１センサ取付け部４２ａは、蓋体４２における記載が省略されている部分に装着されるものであるため、図示できないものであるが、図６において、２点鎖線（仮想線）にて示している。
【００９０】
また、蓋体４２には、上述した異常水位を検出する異常水位検出用の電極４３が、上端側を蓋体４２の上方に位置させ、且つ、下端側を湯水貯留槽４０内に突出させる状態で設けられている。
つまり、異常水位検出用の電極４３は、湯水貯留槽４０の水位が第１水位検出部Ｔ１及び第２水位検出部Ｔ２のうちの高水位側の第１水位検出部Ｔ１にて検出される洗浄用水位Ｙ２よりも設定量高くなったときに湯水貯留槽４０に貯留される湯水にて導通される状態で、蓋体４２に装備されている（図８参照）。
【００９１】
フロート４１の軸部４１Ｂが、フロート４１が複数の昇降位置のうちの低水位側の昇降位置に位置する状態において、つまり、湯水排出水位Ｙ１ａを検出するための昇降位置に位置する状態において、その上端部を湯水貯留槽４０の上端よりも下方に位置させる長さに形成されている（図５、図６参照）。
そして、第１水位検出部Ｔ１及び第２水位検出部Ｔ２のうちの低水位側の第２水位検出部Ｔ２にて検出される被検出部４４ａを備えた揺動レバー４４が、フロート４１の軸部４１Ｂの上端部に連係されて上下に揺動する状態で設けられている。
【００９２】
説明を加えると、揺動レバー４４が、第２センサ取付け部４２ｂに、横軸心Ｘ回りで上下揺動自在に枢支され、その横軸心Ｘの一端側部分が、上述の被検出部４４ａに形成され、横軸心Ｘの他端側部分が、軸部４１Ｂとの連係部４４ｂに形成されている。
この連係部４４ｂは、二股状に形成されて、その連係部４４ｂに、軸部４１Ｂの上端が係合されるように構成されている。
つまり、軸部４１Ｂの上端部であって、上端よりも下方側箇所には、左右一対の板状体４１ａが突設され、軸部４１Ｂの上端には、外れ止め用の突起部４１ｂが左右一対の板状体４１ａと同方向に突出する状態に形成されている。
そして、揺動レバー４４の二股状の連係部４４ｂが、外れ止め用の突起部４１ｂと左右一対の板状体４１ａの間に挿入し、且つ、軸部４１Ｂの上端が、二股状の連係部４４ｂを貫通する状態となるように構成されている。
【００９３】
フロート４１が上下の昇降位置のうちの高水位側の昇降位置に位置する状態において、つまり、フロート４１が洗浄用水位Ｙ２を検出する状態において、フロート４１の軸部４１Ｂが、その上端部を湯水貯留槽４０の上端よりも上方に位置させる長さに形成されている（図７参照）。
そして、上述した一対の板状体４１ａのうちの、第１水位検出部Ｔ１の存在側に突出する１つが、第１水位検出部Ｔ１にて検出される被検出部として機能するように構成されている。
【００９４】
案内部Ｕが、軸部４１Ｂの上端部に設けた一対の板状体４１ａのうちの、第１水位検出部Ｔ１にて検出される被検出部として機能するものとは異なる１つを、フロート４１の昇降全範囲に亘って係合案内する案内溝として構成されている（図５参照）。
説明を加えると、湯水貯留槽４０の上方開口を覆う蓋体４２が、フロート４１の軸部４１Ｂの挿通箇所ほど低位となる状態で水貯留槽の上端よりも下方に突出する下向き凹入部分４２Ａ、及び、案内部形成用の上方突出部分４２Ｂを備える状態に形成され、案内部Ｕが、蓋体４２における凹入部分４２Ａ及び蓋体の上方突出部分４２Ｂに亘る状態で形成されている。
【００９５】
尚、例示はしないが、一対の板状体４１ａのうちの、第１水位検出部Ｔ１にて検出される被検出部として機能する板状体４１ａを、フロート４１の昇降方向に沿って係合案内する補助案内溝が備えられているが、この補助案内溝は、第１水位検出部Ｔ１の近くまでは存在するものの、被検出部として機能する板状体４１ａが第１水位検出部Ｔ１にて検出される箇所では存在しないものであるため、フロート４１の昇降全範囲に亘ってフロート４１を案内するものではない。
【００９６】
揺動レバー４４は、湯水排出水位Ｙ１ａに相当する下方側位置に揺動したときに、蓋体４２の上面にて受け止められるようになっているため、本実施形態の水位検出センサＪは、その検出範囲の最低水位が、湯水排出水位Ｙ１ａに相当することになる。
このため、本実施形態の水位検出センサＪは、洗浄空間Ｑの底部に湯水排出水位Ｙ１ａよりも少ない湯水が貯留された状態から、湯水排出水位Ｙ１ａよりも少し多い湯水が貯留されて、湯水排出水位Ｙ１ａを検出する状態から検出しない状態に変化することが、乾燥用排出水位Ｙ１ｂを検出する状態に相当するように構成されている（図６参照）。
【００９７】
つまり、本実施形態の場合には、水位検出センサＪが湯水排出水位Ｙ１ａを検出する状態から湯水排出水位Ｙ１ａを検出しない状態に変化することをもって、制御部Ｈが、乾燥用排出水位Ｙ１ｂの湯水が貯留されたと判別するように構成されている。
【００９８】
ちなみに、水位検出センサＪの検出可能な範囲の最低水位を、湯水排出水位Ｙ１ａよりも低い水位となるように構成する場合には、水位検出センサＪが、湯水排出水位Ｙ１ａを検出しない状態から湯水排出水位Ｙ１ａを検出する状態に変化することをもって、洗浄空間Ｑの底部に、乾燥用排出水位Ｙ１ｂに相当する水位の湯水が貯留されたことを検出できることになる。この場合、湯水排出水位Ｙ１ａと乾燥用排出水位Ｙ１ｂとは、同じ水位となる。
【００９９】
上述の洗浄水受け入れ部４０Ａについて説明を加えると、図３に示すように、洗浄用排水運転等の排水運転を行うときに、排水管１２を通流する湯水の一部が、分岐管１２ａを通して、水位検出センサＪ側に分岐流動するように構成され、そして、分岐管１２ａが、洗浄水受け入れ部４０Ａに設けた管接続部４０ａに接続されている。
したがって、排水運転を行うときに、兼用ポンプ６にて排水される湯水の一部が洗浄水受け入れ部４０Ａに流動したのち、湯水貯留槽４０の内部に吐出されることにより、湯水貯留槽４０の壁面を洗浄できるように構成されている。
【０１００】
本実施形態の食器洗浄機は、上述の如く、洗浄運転、すすぎ運転、加熱すすぎ運転、洗浄用排水運転、乾燥運転、及び、消臭運転を行うことによって、洗浄対象物を洗浄及び乾燥するものであるが、上記した構成に加えて、下記の構成を備えるものである。
【０１０１】
すなわち、制御部Ｈが、洗浄用排水運転において、兼用ポンプ６を設定排水能力にて作動させた状態を、水位検出センサＪにて湯水排出水位Ｙ１ａが検出されてから洗浄排水用設定時間（例えば、１５秒）が経過するまで継続するように構成され、且つ、水位検出センサＪにて洗浄用水位Ｙ２から湯水排出水位Ｙ１ａが検出されるまでの移行時間を計測して、その移行時間が設定基準時間（例えば、１５秒）よりも長い排水能力不足状態のときには、湯水排出水位Ｙ１ａが検出された時点以降において、設定排水能力を高排水能力側に変更設定するように構成されている。
【０１０２】
また、制御部Ｈが、洗浄用排水運転を実行するごとに、移行時間を計測して、排水能力不足状態であるごとに、設定排水能力を、設定増大量ずつ高排水能力側に変更設定するように構成されている。
そして、設定増大量が、移行時間と設定基準時間との差（以下、時間差と記載する）が大きいほど大きな量に定められている。
【０１０３】
説明を加えると、設定排水能力は、本実施形態においては、上述の如く、兼用ポンプ６を逆転駆動する際の設定回転速度に対応するものであり、設定排水能力としての設定回転速度は、当初は、低排水能力に対応する回転速度（例えば、２０００回転／分）に定められている。
そして、図１０に示すように、設定増大量としての設定増大速度が、時間差が大きいほど大きくなる条件に定められている。時間差と設定増大速度との関係は、具体的には、時間差が、１秒増加するごとに、設定増大速度が、１００回転／分ずつ増加する関係に定められている。
【０１０４】
したがって、洗浄用排水運転を実行するごとに、移行時間が計測されて、排水能力不足状態であると判別されるごとに、時間差と設定増大速度との関係に基づいて設定増大速度が求められ、そして、兼用ポンプ６を逆転駆動する設定回転速度が、現在の設定回転速度に設定増大速度を加えた回転速度に変更設定されることになる。
【０１０５】
ちなみに、洗浄用排水運転を開始する際に、水位検出センサＪにて洗浄用水位Ｙ２より低い水位が検出されるまでは、兼用ポンプ６を逆転駆動する回転速度が、設定排水能力に対応する設定回転速度よりも低い目標低回転速度（例えば、１５００回転／分）に調整され、水位検出センサＪにて洗浄用水位Ｙ２より低い水位が検出されると、直ちに、兼用ポンプ６を逆転駆動する回転速度が、設定排水能力に対応する設定回転速度に調整されるように構成されている。
【０１０６】
つまり、洗浄用排水運転を開始する際に、直ちに、設定排水能力に対応する設定回転速度にて兼用ポンプ６を逆転駆動すると、兼用ポンプ６の構成上、排水作動であるにも拘わらず、洗浄用ノズル８から湯水が噴出する等の不都合が発生する虞があるため、水位検出センサＪにて洗浄用水位Ｙ２より低い水位が検出されるまでは、設定排水能力に対応する設定回転速度よりも低い目標低回転速度（例えば、１５００回転／分）にて兼用ポンプ６を逆転駆動する、いわゆる、ソフトスタート作動を行うようにしてある。
【０１０７】
また、制御部Ｈは、乾燥運転を行うときに実行する乾燥用排水運転において、洗浄用排水運転について設定した設定回転速度にて兼用ポンプ６を作動させるように構成され、同様に、消臭運転を行うときに実行する消臭用排水運転においても、洗浄用排水運転について設定した設定回転速度にて兼用ポンプ６を作動させるように構成されている。
【０１０８】
さらに、制御部Ｈは、洗浄用排水運転を開始する際に、水位検出センサＪが洗浄用水位Ｙ２よりも低い水位であることを検出している場合には、兼用ポンプ６の作動を停止させた状態で待機して、水位検出センサＪが洗浄用水位Ｙ２を検出すると、洗浄用排水運転を開始するように構成され、かつ、設定待機時間（例えば、１０秒）が経過しても、水位検出センサＪが洗浄用水位を検出しないときには、洗浄用排水運転を開始し、かつ、移行時間の計測を中止するように構成されている。
【０１０９】
ちなみに、洗浄用排水運転を開始する際に、水位検出センサＪが洗浄用水位Ｙ２よりも低い水位であることを検出している場合において、設定待機時間（例えば、１０秒）が経過するまでに、水位検出センサＪが洗浄用水位Ｙ２を検出することにより、洗浄用排水運転を開始する場合には、上述したソフトスタート作動を行うことになるが、設定待機時間（例えば、１０秒）が経過しても、水位検出センサＪが洗浄用水位を検出しないときに、洗浄用排水運転を開始する場合には、ソフトスタート作動を行うことなく、直ちに、設定排水能力に対応する設定回転速度にて兼用ポンプ６を逆転駆動することになる。
【０１１０】
以下、制御部Ｈの洗浄用排水運転の制御作動について、図１２のフローチャートに基づいて説明を加える。
先ず、水位検出センサＪが洗浄用水位Ｙ２を検出しているか否かが判別され（＃２１）、そして、水位検出センサＪが洗浄用水位Ｙ２を検出している場合には、兼用ポンプ６を目標低回転速度にて逆転駆動すること（ソフトスタート作動）が開始される（＃２２）。
【０１１１】
次に、水位検出センサＪにて検出される水位が洗浄用水位Ｙ２から変化したか、つまり、水位が洗浄用水位Ｙ２よりも低くなったか否かが判別される（＃２３）。
＃２３にて、水位検出センサＪにて検出される水位が洗浄用水位Ｙ２から変化したことが判別されると、上述した移行時間を計測するタイマの計測がスタートされ（＃２４）、引き続き、設定排水能力に対応する設定回転速度にて兼用ポンプ６を逆転駆動することが開始される（＃２５）。
【０１１２】
上述の＃２１にて、水位検出センサＪが洗浄用水位Ｙ２を検出していないと判別された場合には、設定待機時間（例えば、１０秒）が経過したか否かが判別され（＃２６）、設定待機時間が経過するまでに、水位検出センサＪにて洗浄用水位Ｙ２が検出された場合には、＃２２の処理に移行されることになり、そして、設定待機時間が経過しても、水位検出センサＪにて洗浄用水位Ｙ２が検出されない場合には、＃２５の処理に移行されることになる。
【０１１３】
＃２５の処理を実行した後は、水位検出センサＪにて検出される水位が湯水排出水位Ｙ１ａであるか否かが判別される（＃２７）。
＃２７にて、水位検出センサＪにて検出される水位が湯水排出水位Ｙ１ａであることが判別されると、タイマが作動中であるか否かが判別され（＃２８）、タイマが作動中である場合には、タイマの計測が停止され、且つ、その計測時間が、上述の移行時間として、更新記憶される（＃２９）。
【０１１４】
次に、計測された移行時間が設定基準時間（例えば、１５秒）より長いか否が判別され（＃３０）、移行時間が設定基準時間（例えば、１５秒）より長い場合には、兼用ポンプ６を逆転駆動する設定回転速度（設定排水能力）の変更設定処理が行われ（＃３１）、その後、変更設定された設定回転速度にて兼用ポンプ６が逆転駆動される（＃３２）。
【０１１５】
設定回転速度（設定排水能力）の変更設定処理は、上述の如く、時間差と設定増大速度との関係に基づいて設定増大速度を求めて、設定回転速度を、現在の設定回転速度に設定増大速度を加えた回転速度に変更設定するものであって、ここでの詳細な説明は省略する。
【０１１６】
＃３２にて、変更設定された設定回転速度にて兼用ポンプ６を逆転駆動させた後は、洗浄排水用の設定時間（例えば、１５秒）が経過したか否かが判別され（＃３３）、洗浄排水用の設定時間が経過すると、兼用ポンプ６が停止され（＃３４）、その後、次の運転に移行することになる。
また、＃２８にて、タイマが作動中でないと判別したときや、＃３０にて、計測された移行時間が設定基準時間より短いと判別したときにも、＃３３に移行して、洗浄排水用の設定時間が経過すると、兼用ポンプ６が停止され（＃３４）、その後、次の運転に移行することになる。
【０１１７】
次に、乾燥運転における乾燥用排水運転を説明する。すなわち、乾燥運転を説明しながら、乾燥運転中に行う乾燥用排水運転の制御作動について、図１３のフローチャートに基づいて説明する。
【０１１８】
先ず、加熱ヒータ９及び循環ファン２３の作動が開始され、且つ、除湿用湯水の供給が開始される（＃４１）。
次に、兼用ポンプ６が駆動中である排水運転中であるか否かが判別され（＃４２）、排水運転中でない場合には、水位検出センサＪの検出水位が乾燥用排出水位Ｙ１ｂであるか否かが判別される（＃４３）。つまり、本実施形態では、水位検出センサＪの検出水位が湯水排出水位Ｙ１ａを検出する状態から湯水排出水位Ｙ１ａを検出しない状態に変化したことが検出されると、除湿処理後の湯水及び凝縮水が乾燥用排出水位Ｙ１ｂに相当する水位まで貯留された状態であることが判別される。
【０１１９】
＃４３にて、乾燥用排出水位Ｙ１ｂでないことを判別した場合には、乾燥運転を開始してからの経過時間が乾燥用設定時間（例えば、２５分）を経過したかが判別され（＃４８）、乾燥用設定時間を経過している場合には、加熱ヒータ９、循環ファン２３、兼用ポンプ６の作動を停止し、且つ、除湿用湯水の供給を停止して（＃４９）、次の運転に移行することになる。
また、＃４８にて、設定乾燥処理時間が経過していないと判別した場合には、＃４２の処理に移行する。
【０１２０】
＃４３にて、乾燥用排出水位Ｙ１ｂであることを判別した場合には、兼用ポンプ６を設定回転速度（設定排水能力）にて逆転駆動することが開始されて（＃４４）、乾燥用排水運転が開始される。
【０１２１】
次に、水位検出センサＪの検出水位が乾燥用排出水位Ｙ１ｂから変化したか否かが判別される（＃４５）。つまり、本実施形態の場合には、水位検出センサＪの検出水位が、湯水排出水位Ｙ１ａよりも高い水位を検出している状態から湯水排出水位Ｙ１ａを検出する状態に変化したか否かが判別される。
【０１２２】
＃４５にて、水位検出センサＪの検出水位が乾燥用排出水位Ｙ１ｂから変化したことが検出された場合には、その時点からの経過時間が乾燥排水用の設定時間（例えば、１５秒）を経過したか否かが判別され（＃４６）、乾燥排水用の設定時間が経過すると、兼用ポンプ６を停止させ（＃４７）、その後、＃４８の処理に移行する。
また、＃４５にて、水位検出センサＪの検出水位が乾燥用排出水位Ｙ１ｂから変化していないと判別した場合には、＃４８の処理に移行する。
【０１２３】
＃４２にて、排水運転中であると判別した場合には、水位検出センサＪの検出水位が、既に乾燥用排出水位Ｙ１ｂから変化したか否かが判別される（＃５０）。
そして、既に乾燥用排出水位Ｙ１ｂから変化していると判別したときには、＃４６の処理に移行し、既に乾燥用排出水位Ｙ１ｂから変化していないと判別したときには、＃４５の処理に移行することになる。
【０１２４】
尚、消臭運転における排水運転は、上述した乾燥運転における排水運転と同様であるので、その説明を省略する。
【０１２５】
〔別実施形態〕
次に別実施形態を説明する。
（イ）上記実施形態においては、湯水断続手段が、給水路を開閉する第１開閉弁と、洗浄槽用分岐路を開閉する第２開閉弁と、除湿用分岐路に装備された定流量弁とから構成される場合を例示したが、これらの弁に加えて、除湿用分岐路を開閉する開閉弁を備えさせるようにしてもよい。
そして、除湿用分岐路を開閉する開閉弁を備えさせる場合には、給水路を開閉する第１開閉弁を省略する形態で実施してもよい。
【０１２６】
（ロ）上記実施形態では、洗浄槽が本体ケース部に対して水平方向に沿って引き出し及び収納自在に設けられる引き出し式の食器洗浄機を例示したが、本体ケース部に洗浄槽が収納されて、本体ケース部の前面扉が開閉されることにより、洗浄槽の洗浄空間が開閉される形態の食器洗浄機についても、本発明は適用できるものである。
【０１２８】
（ハ）上記実施形態では、排水ポンプを直流モータにて駆動する場合を例示したが、排水ポンプを交流モータにて駆動するようにしてもよく、この場合、例えば、洗浄ポンプを設定目標回転速度にて駆動すべく、交流モータに供給する駆動電力を位相制御により調整するようにするとよい。
【０１２９】
（ニ）上記実施形態では、正転で洗浄ポンプとして機能し、逆転で排水ポンプとして機能する兼用ポンプを例示したが、洗浄ポンプと排水ポンプとを各別に備える形態で実施しても良い。
【０１３０】
（ホ）上記実施形態では、回転速度の調整により排水能力を調整する場合を例示したが、例えば、排水ポンプとして可変容量型のポンプを用いて、その容量調整により排水能力を調整するようにする等、排水能力の調整形態は各種変更できる。
【０１３１】
（へ）上記実施形態においては、水位検出手段と乾燥用排出水位検出手段とが、一つの水位検出センサにて構成される場合を例示したが、水位検出手段と乾燥用排出水位検出手段を各別に構成してもよい。
また、洗浄用水位と湯水排出水位を検出する水位検出手段を、洗浄用水位を検出するセンサ部と、湯水排出水位を検出するセンサ部とで各別に構成する形態に構成する等、水位検出手段の具体構成は、各種変更できる。
【符号の説明】
【０１３２】
６      排水ポンプ
９      加熱手段
２１    空気供給口
２２    空気吸引口
２３    通風手段
Ｄ      洗浄槽
Ｅ      湯水断続手段
Ｆ      通風経路
Ｇ      除湿部
Ｈ      制御手段
Ｊ      水位検出手段、乾燥用排出水位検出手段
Ｑ      洗浄空間
【図１】
0005835933.tif 000002
【図２】
0005835933.tif 000003
【図３】
0005835933.tif 000004
【図４】
0005835933.tif 000005
【図５】
0005835933.tif 000006
【図６】
0005835933.tif 000007
【図７】
0005835933.tif 000008
【図８】
0005835933.tif 000009
【図９】
0005835933.tif 000010
【図１０】
0005835933.tif 000011
【図１１】
0005835933.tif 000012
【図１２】
0005835933.tif 000013
【図１３】
0005835933.tif 000014